(57)【要約】【課題】  収納装置の左右方向の側壁に取り付けることができ、地震時に、係止手段が水平方向に突出して引き出しの開放を確実に規制することができる、従来にない新規な構造の振動感知ロック装置を提供する。【解決手段】  振動感知ロック装置Ａの係止装置１は、収納装置本体１０１の収容室１０２の側面１０３に取り付けられるケース２と、ケース２に回動可能に設けられた係止部材３１と、ケース２の下面１２に転動可能に設けられた球体８とからなる。ケース２の下面１２は、球体静止部２３と、球体静止部２３に向かって下降傾斜する下降傾斜面２１，２２とを有する。係止部材３１は、引き出し１０５を係止する係止位置Ｘ２と係止しない非係止位置Ｘ１に回動するように構成され、振動時には球体静止部２３から移動する球体８により押し出されて係止位置Ｘ２に移動し、引き出し１０５を係止して引き出し１０５の飛び出しを阻止する。【選択図】        図１
2010270517.tif 000002
【特許請求の範囲】
【請求項１】
家具、吊り戸棚等の開き戸付き収納装置に設けられ、振動時に開き戸の開放を規制する振動感知ロック装置であって、
係止装置を有し、
係止装置は、
収納装置本体に取り付けられるケースと、
当該ケースに回動可能に設けられた係止部材と、
当該ケースの下面に転動可能に設けられた球体とからなり、
前記ケースの下面は、球体静止部と、球体静止部に向かって下降傾斜する下降傾斜面とを有し、
前記球体は、ケースの下面に転動可能であって、球体静止部で静止するように構成され、
前記係止部材は、開き戸を係止する係止位置と係止しない非係止位置に回動するように構成され、非振動時には非係止位置で保持されており、振動時には球体静止部から移動する球体により押し出されて係止位置に移動し、開き戸を係止して開き戸の開放を阻止することを特徴とする振動感知ロック装置。
【請求項２】
引き出しを収容する収容室を備えた収納装置に設けられ、振動時に引き出しの飛び出しを規制する振動感知ロック装置であって、
係止装置を有し、
係止装置は、
収納装置本体の収容室の側面に取り付けられるケースと、
当該ケースに回動可能に設けられた係止部材と、
当該ケースの下面に転動可能に設けられた球体とからなり、
前記ケースの下面は、球体静止部と、球体静止部に向かって下降傾斜する下降傾斜面とを有し、
前記球体は、ケースの下面に転動可能であって、球体静止部で静止するように構成され、
前記係止部材は、引き出しを係止する係止位置と係止しない非係止位置に回動するように構成され、非振動時には非係止位置で保持されており、振動時には球体静止部から移動する球体により押し出されて係止位置に移動し、引き出しを係止して引き出しの飛び出しを阻止することを特徴とする振動感知ロック装置。
【請求項３】
引き出しの側面には、被係止装置が取り付けられており、
被係止装置は、被係止片と固定部材とからなり、
被係止片は、矩形板状の被係止本体と、被係止本体の表面の一方に設けられた係止突起と、被係止本体の裏面の一方に設けられた係止爪と、被係止本体の他方に形成された連結孔で形成され、
固定部材は、軸部と、軸部の一端に形成された操作片と、軸部の他端に形成された係合片とからなり、
被係止装置は、引き出しの側面に形成された係止孔に係止爪を係止し、引き出しの側面に形成された挿通孔に連結孔を重ね合わせ、連結孔と挿通孔に固定部材の軸部を挿通後に一方に回動することにより係合片が引き出しの側面に係合して取り付けられるように構成され、
引き出しの側面に取り付けられた被係止装置の係止突起に、係止位置に移動した係止部材が係止するように構成されていることを特徴とする請求項２記載の振動感知ロック装置。
【請求項４】
ケースは、下面と、上面と、前面と、後面と、一方の側面とからなり、他方の側面が開放されており、
前記係止部材は、振動時に他方の側面から突出して係止位置に移動するように構成されていることを特徴とする請求項１、２又は３記載の振動感知ロック装置。
【請求項５】
ケースの下面は、略中間部に球体静止部が形成され、前部と後部の両側から球体静止部に向かって下降傾斜する下降傾斜面が形成されていることを特徴とする請求項１乃至４のいずれか１項に記載の振動感知ロック装置。
【請求項６】
ケースの上面には、下面と対向する位置関係において、略中間部に球体静止部が形成され、前部と後部の両側から球体静止部に向かって下降傾斜する下降傾斜面が形成され、ケースの上下の位置関係が変更可能であることを特徴とする請求項５記載の振動感知ロック装置。
【請求項７】
係止部材は、球体と当接する当接部を有し、
当接部は、球体静止部に位置する球体と当接する中間部から前方及び後方に向かって球体側に傾斜する前方及び後方傾斜面を有しており、
非振動時には、球体が当接部の中間部に位置しており、
振動時に球体が他方の側面側に移動すると当接部を他方の側面側に押し出して係止部材を係止位置に移動させ、球体が前方又は後方に移動すると前方傾斜面又は後方傾斜面に接触して当接部を他方の側面側に押し出して係止部材を係止位置に移動させることを特徴とする請求項５又は６記載の振動感知ロック装置。
【請求項８】
係止部材の当接部には、下面上を転動する球体の上部と接触するガイド板が設けられていることを特徴とする請求項７記載の振動感知ロック装置。
【請求項９】
前記ガイド板は、当接部の上下を仕切り、下側の前方傾斜面又は後方傾斜面に接触する球体が上側の前方傾斜面又は後方傾斜面に接触しないように構成されていることを特徴とする請求項８記載の振動感知ロック装置。
【発明の詳細な説明】
【技術分野】
【０００１】
この発明は、家具、吊り戸棚等の開き戸付き収納装置、並びに箪笥、机、食器棚等の引き出し付き収納装置に設けられ、地震等の振動時に開き戸、引き出しの開放を規制する振動感知ロック装置に関するものである。
【背景技術】
【０００２】
従来、家具、吊り戸棚等の開き戸付き収納装置では、地震の揺れにより開き戸が開いて、皿、コップ等の収納物が落下するので、その収納物の落下を防止するため、地震時に開き戸の開放を規制する振動感知ロック装置が設けられている。この従来の振動感知ロック装置は、係止装置と、係止装置によって係止される被係止装置とからなる。係止装置は、家具、吊り戸棚等の開き戸付き収納装置の収納装置本体に取り付けられる。また、被係止装置は、収納装置本体に開閉自在に設けられた開き戸又は引き出しに取り付けられる。
【０００３】
従来の振動感知ロック装置の係止装置は、係止手段がケースに上下方向に回動可能に設けられている。係止手段は、下方に回動すると係止位置に移動し、上方に回動すると非係止位置に移動する。係止手段は、自重により係止方向に付勢されている。係止手段は、平常時において、球体と係合して非係止位置で保持されているので、開き戸又は引き出しの開閉を阻止することがない。係止手段は、地震時において、球体が外れて係止位置に移動し、開き戸又は引き出しに取り付けられた被係止装置を係止するので、開き戸又は引き出しの開放を規制し、収納装置本体内の収納物の落下を防止することができる（例えば、特許文献１）。
【先行技術文献】
【特許文献】
【０００４】
【特許文献１】特開２００６−２２６２４号公報
【発明の概要】
【発明が解決しようとする課題】
【０００５】
上記した従来の振動感知ロック装置は、地震時に係止手段が下方向に回動して開き戸又は引き出しをロックし、開き戸又は引き出しの開放を阻止するものであり、地震時の開放を規制する手段としてかなり有効である。しかし、従来の振動感知ロック装置は、天板に取り付けるため、開き戸又は引き出しの高さ方向の長さが短いと、これ自体が開き戸又は引き出しの開閉のじゃまになったり、収納装置内の収納物を傷付けたりする等の問題点があった。そのため、収納装置の左又右の側壁に取り付けることができる振動感知ロック装置が望まれていた。
【０００６】
本願発明は、上記問題点に鑑み案出したものであって、収納装置の左右方向の側壁に取り付けることができ、平常時は、係止手段が非係止位置にあるので、開き戸又は引き出しを係止することがなく、地震時は、係止手段が水平方向に突出して係止位置に移動して開き戸又は引き出しの開放を確実に規制することができる、構造が簡単で且つ安価に製造することができ、コンパクトで狭いスペースに取り付けることができる、従来にない新規な構造の振動感知ロック装置を提供することを目的とする。
【課題を解決するための手段】
【０００７】
本願請求項１に係る振動感知ロック装置は、上記目的を達成するため、家具、吊り戸棚等の開き戸付き収納装置に設けられ、振動時に開き戸の開放を規制する振動感知ロック装置であって、係止装置を有し、係止装置は、収納装置本体に取り付けられるケースと、当該ケースに回動可能に設けられた係止部材と、当該ケースの下面に転動可能に設けられた球体とからなり、前記ケースの下面は、球体静止部と、球体静止部に向かって下降傾斜する下降傾斜面とを有し、前記球体は、ケースの下面に転動可能であって、球体静止部で静止するように構成され、前記係止部材は、開き戸を係止する係止位置と係止しない非係止位置に回動するように構成され、非振動時には非係止位置で保持されており、振動時には球体静止部から移動する球体により押し出されて係止位置に移動し、開き戸を係止して開き戸の開放を阻止することを特徴とする。
【０００８】
本願請求項２に係る振動感知ロック装置は、上記目的を達成するため、引き出しを収容する収容室を備えた収納装置に設けられ、振動時に引き出しの飛び出しを規制する振動感知ロック装置であって、係止装置を有し、係止装置は、収納装置本体の収容室の側面に取り付けられるケースと、当該ケースに回動可能に設けられた係止部材と、当該ケースの下面に転動可能に設けられた球体とからなり、前記ケースの下面は、球体静止部と、球体静止部に向かって下降傾斜する下降傾斜面とを有し、前記球体は、ケースの下面に転動可能であって、球体静止部で静止するように構成され、前記係止部材は、引き出しを係止する係止位置と係止しない非係止位置に回動するように構成され、非振動時には非係止位置で保持されており、振動時には球体静止部から移動する球体により押し出されて係止位置に移動し、引き出しを係止して引き出しの飛び出しを阻止することを特徴とする。
【０００９】
本願請求項３に係る振動感知ロック装置は、上記目的を達成するため、引き出しの側面には、被係止装置が取り付けられており、被係止装置は、被係止片と固定部材とからなり、被係止片は、矩形板状の被係止本体と、被係止本体の表面の一方に設けられた係止突起と、被係止本体の裏面の一方に設けられた係止爪と、被係止本体の他方に形成された連結孔で形成され、固定部材は、軸部と、軸部の一端に形成された操作片と、軸部の他端に形成された係合片とからなり、被係止装置は、引き出しの側面に形成された係止孔に係止爪を係止し、引き出しの側面に形成された挿通孔に連結孔を重ね合わせ、連結孔と挿通孔に固定部材の軸部を挿通後に一方に回動することにより係合片が引き出しの側面に係合して取り付けられるように構成され、引き出しの側面に取り付けられた被係止装置の係止突起に、係止位置に移動した係止部材が係止するように構成されていることを特徴とする。
【００１０】
本願請求項４に係る振動感知ロック装置は、上記目的を達成するため、ケースは、下面と、上面と、前面と、後面と、一方の側面とからなり、他方の側面が開放されており、前記係止部材は、振動時に他方の側面から突出して係止位置に移動するように構成されていることを特徴とする。
【００１１】
本願請求項５に係る振動感知ロック装置は、上記目的を達成するため、ケースの下面は、略中間部に球体静止部が形成され、前部と後部の両側から球体静止部に向かって下降傾斜する下降傾斜面が形成されていることを特徴とする。
【００１２】
本願請求項６に係る振動感知ロック装置は、上記目的を達成するため、ケースの上面には、下面と対向する位置関係において、略中間部に球体静止部が形成され、前部と後部の両側から球体静止部に向かって下降傾斜する下降傾斜面が形成され、ケースの上下の位置関係が変更可能であることを特徴とする。
【００１３】
本願請求項７に係る振動感知ロック装置は、上記目的を達成するため、係止部材は、球体と当接する当接部を有し、当接部は、球体静止部に位置する球体と当接する中間部から前方及び後方に向かって球体側に傾斜する前方及び後方傾斜面を有しており、非振動時には、球体が当接部の中間部に位置しており、振動時に球体が他方の側面側に移動すると当接部を他方の側面側に押し出して係止部材を係止位置に移動させ、球体が前方又は後方に移動すると前方傾斜面又は後方傾斜面に摺接して当接部を他方の側面側に押し出して係止部材を係止位置に移動させることを特徴とする。
【００１４】
本願請求項８に係る振動感知ロック装置は、上記目的を達成するため、係止部材の当接部には、下面上を転動する球体の上部と接触するガイド板が設けられていることを特徴とする。
【００１５】
本願請求項９に係る振動感知ロック装置は、上記目的を達成するため、前記ガイド板は、当接部の上下を仕切り、下側の前方傾斜面又は後方傾斜面に接触する球体が上側の前方傾斜面又は後方傾斜面に接触しないように構成されていることを特徴とする。
【発明の効果】
【００１６】
本願発明に係る振動感知ロック装置は、家具、吊り戸棚等の開き戸付き収納装置の左右方向の側壁に係止装置を設けることができる。側壁に設けられた係止装置は、非振動時に、球体がケースの下面の球体静止部で静止しており、係止部材が自重により非係止位置に位置している。振動時には球体が下面上を転動し、この転動した球体が係止部材を押圧するので、係止部材が係止位置に回動して開き戸を係止し、開き戸の開放を規制する。振動が終了すると、球体が下降傾斜面に沿って球体静止部に移動するので、球体の係止部材に対する押圧が解除され、係止部材が自重により回動して非係止位置に移動し、開き戸の開閉を可能にする。このように、本願発明に係る振動感知ロック装置は、平常時においては、係止部材が自重により非係止位置にあるので、開き戸を係止することがなく、振動時においては、球体が係止部材を押圧して係止部材を係止位置に突出させて開き戸を係止して、開き戸の開放を確実に規制することができるという効果がある。また、振動感知ロック装置は、振動終了時においては、球体が下降傾斜面に沿って自動的に球体静止部に移動して係止部材に対する押圧を解除するので、係止部材が自重により非係止位置に回動し、開き戸のロックを解除し、解除操作を必要としないという効果がある。また、振動感知ロック装置は、構造が簡単で安価に製造することができ、しかもコンパクトで且つ狭いスペースに簡単に取り付けることができ、さらに、係止部材が上下方向ではなく左右方向に突出するので、収納装置の側壁に取り付けることができる、従来にない新規な構造を提供することができるという効果がある。
【００１７】
本願発明に係る振動感知ロック装置は、引き出しを収容する収容室を備えた収納装置の引き出しの左右方向の側壁に係止装置を設けることができる。側壁に設けられた係止装置は、非振動時に、球体がケースの下面の球体静止部で静止しており、係止部材が自重により非係止位置に位置している。振動時には球体が下面上を転動し、この転動した球体が係止部材を押圧するので、係止部材が係止位置に回動して引き出しを係止し、引き出しの開放を規制する。振動が終了すると、球体が下降傾斜面に沿って球体静止部に移動するので、球体の係止部材に対する押圧が解除され、係止部材が自重により回動して非係止位置に移動し、引き出しの開閉を可能にする。このように、本願発明に係る振動感知ロック装置は、平常時においては、係止部材が自重により非係止位置にあるので、引き出しを係止することがなく、振動時においては、球体が係止部材を押圧して係止部材を係止位置に突出させて引き出しを係止して、引き出しの開放を確実に規制することができるという効果がある。また、振動感知ロック装置は、振動終了時においては、球体が下降傾斜面に沿って自動的に球体静止部に移動して係止部材に対する押圧を解除するので、係止部材が自重により非係止位置に回動し、引き出しのロックを解除し、解除操作を必要としないという効果がある。また、振動感知ロック装置は、構造が簡単で安価に製造することができ、しかもコンパクトで且つ狭いスペースに簡単に取り付けることができ、さらに、係止部材が上下方向ではなく左右方向に突出するので、引き出しの収容室の側壁に取り付けることができる、従来にない新規な構造を提供することができるという効果がある。
【００１８】
本願発明に係る振動感知ロック装置は、前記引き出しの側面に、前記係止装置に係止される被係止装置を簡単に取り付けることができる。即ち、被係止装置は、被係止片と固定部材とからなり、被係止片を形成する被係止本体の係止爪を引き出しの側面に形成された係止孔に係止し、被係止本体の連結孔を引き出しの側面に形成された挿通孔に重ね合わせ、固定部材の軸部を前記連結孔及び挿通孔に挿通して一方に回動することにより、軸部の係合片が引き出しの側面に係合し、取り付けることができる。本願発明に係る振動感知ロック装置は、収納装置の側壁に設けられた係止装置が振動時に作動して係止部材が係止位置に移動し、引き出しの側面に取り付けられた被係止装置の係止突起を係止して引き出しの開放を確実に阻止することができるという効果がある。
【図面の簡単な説明】
【００１９】
【図１】本願発明に係る振動感知ロック装置の係止装置の分解斜視図である。
【図２】図１の係止装置の係止部材の斜視図である。
【図３】図２の係止部材の説明図であって、（ａ）が平面図、（ｂ）が裏面図、（ｃ）が表面図、（ｄ）が側面図、（ｅ）がＡ−Ａ断面図、(ｆ)がＢ−Ｂ断面図、（ｇ）がＣ−Ｃ断面図、（ｈ）がＤ−Ｄ断面図である。
【図４】図２の係止部材の動きを説明する説明図である。
【図５】図２の係止部材の他の動きを説明する説明図である。
【図６】図２の係止部材の他の動きを説明する説明図である。
【図７】本願発明に係る振動感知ロック装置の被係止装置を一方から視た斜視図である。
【図８】図７の被係止装置を他方から視た斜視図である。
【図９】図７の被係止装置の取付状態の説明図であって、（ａ）が係止状態の表面図、（ｂ）が係止状態の裏面図、（ｃ）が係止状態の断面図、（ｄ）が係止解除状態の表面図、（ｅ）が係止解除状態の裏面図、(ｆ)が係止解除状態の断面図である。
【図１０】図１の振動感知ロック装置を収納装置に取り付けた状態の説明図であって、（ａ）が平面図、（ｂ）が正面図、（ｃ）が側面図である。
【図１１】図１の振動感知ロック装置のロック状態の説明図であって、（ａ）が平面図、（ｂ）が正面図、（ｃ）が側面図である。
【図１２】図７の被係止装置の解除動作を説明する説明図であって、（ａ）が解除前の正面図、（ｂ）が解除後の正面図である。
【図１３】係止装置の係止部材の他の実施の形態を示す説明図である。
【図１４】係止装置の係止部材の他の実施の形態を示す説明図である。
【図１５】係止装置の係止部材の他の実施の形態を示す説明図である。
【発明を実施するための最良の形態】
【００２０】
図１０，１１に示すように、振動感知ロック装置Ａは、家具、吊り戸棚等の開き戸付き収納装置１００に設けられ、振動時に開き戸１０５の開放を規制するものである。振動感知ロック装置Ａは、係止装置１を有する。図１に示すように、係止装置１は、収納装置本体１０１に取り付けられるケース２と、当該ケース２に回動可能に設けられた係止部材３１と、当該ケース２の下面１２に転動可能に設けられた球体８とからなる。前記ケース２の下面１２は、球体静止部２３と、球体静止部２３に向かって下降傾斜する下降傾斜面２１，２２とを有する。前記球体８は、ケース２の下面１２に転動可能であって、球体静止部２３で静止するように構成されている。前記係止部材３１は、開き戸１０５を係止する係止位置Ｘ２と係止しない非係止位置Ｘ１に回動するように構成され、非振動時には非係止位置Ｘ１で保持されており、振動時には球体静止部２３から移動する球体８により押し出されて係止位置Ｘ２に移動し、開き戸１０５を係止して開き戸１０５の開放を阻止する。
【００２１】
振動感知ロック装置Ａは、家具、吊り戸棚等の開き戸付き収納装置１００の左右方向の側壁１０３に係止装置１を設けることができる。側壁１０３に設けられた係止装置１は、非振動時に、球体８がケース２の下面１２の球体静止部２３で静止しており、係止部材３１が自重により非係止位置Ｘ１に位置している。振動時には球体８が下面１２上を転動し、この転動した球体８が係止部材３１を押圧するので、係止部材３１が係止位置Ｘ２に回動して開き戸１０５を係止し、開き戸１０５の開放を規制する。振動が終了すると、球体８が下降傾斜面２１，２２に沿って球体静止部２３に移動するので、球体８の係止部材３１に対する押圧が解除され、係止部材３１が自重により回動して非係止位置Ｘ１に移動し、開き戸１０５の開閉を可能にする。このように、振動感知ロック装置Ａは、平常時においては、係止部材３１が自重により非係止位置Ｘ１にあるので、開き戸１０５を係止することがなく、振動時においては、球体８が係止部材３１を押圧して係止部材３１を係止位置Ｘ２に突出させて開き戸１０５を係止して、開き戸１０５の開放を確実に規制することができる。また、振動感知ロック装置Ａは、振動終了時においては、球体８が下降傾斜面２１，２２に沿って自動的に球体静止部２３に移動して係止部材３１に対する押圧を解除するので、係止部材３１が自重により非係止位置Ｘ１に回動し、開き戸１０５のロックを解除し、解除操作を必要としない。また、振動感知ロック装置Ａは、構造が簡単で安価に製造することができ、しかもコンパクトで且つ狭いスペースに簡単に取り付けることができ、さらに、係止部材３１が上下方向ではなく左右方向に突出するので、収納装置１００の側壁１０３に取り付けることができる、従来にない新規な構造を提供することができる。
【００２２】
図１０，１１に示すように、振動感知ロック装置Ａは、引き出し１０５を収容する収容室１０２を備えた収納装置１００に設けられ、振動時に引き出し１０５の飛び出しを規制するものである。振動感知ロック装置Ａは、係止装置１を有する。図１に示すように、係止装置１は、収納装置本体１０１の収容室１０２の側面１０３に取り付けられるケース２と、当該ケース２に回動可能に設けられた係止部材３１と、当該ケース２の下面１２に転動可能に設けられた球体８とからなる。前記ケース２の下面１２は、球体静止部２３と、球体静止部２３に向かって下降傾斜する下降傾斜面２１，２２とを有する。前記球体８は、ケース２の下面１２に転動可能であって、球体静止部２３で静止するように構成されている。前記係止部材３１は、引き出し１０５を係止する係止位置Ｘ２と係止しない非係止位置Ｘ１に回動するように構成され、非振動時には非係止位置Ｘ１で保持されており、振動時には球体静止部２３から移動する球体８により押し出されて係止位置Ｘ２に移動し、引き出し１０５を係止して引き出し１０５の飛び出しを阻止する。
【００２３】
振動感知ロック装置Ａは、引き出し１０５を収容する収容室１０２を備えた収納装置１００の引き出し１０５の左右方向の側壁１０３に係止装置１を設けることができる。側壁１０３に設けられた係止装置１は、非振動時に、球体８がケース２の下面１２の球体静止部２３で静止しており、係止部材３１が自重により非係止位置Ｘ１に位置している。振動時には球体８が下面１２上を転動し、この転動した球体８が係止部材３１を押圧するので、係止部材３１が係止位置Ｘ２に回動して引き出し１０５を係止し、引き出し１０５の開放を規制する。振動が終了すると、球体８が下降傾斜面２１，２２に沿って球体静止部２３に移動するので、球体８の係止部材３１に対する押圧が解除され、係止部材３１が自重により回動して非係止位置Ｘ１に移動し、引き出し１０５の開閉を可能にする。このように、振動感知ロック装置Ａは、平常時においては、係止部材３１が自重により非係止位置Ｘ１にあるので、引き出し１０５を係止することがなく、振動時においては、球体８が係止部材３１を押圧して係止部材３１を係止位置Ｘ２に突出させて引き出し１０５を係止して、引き出し１０５の開放を確実に規制することができる。また、振動感知ロック装置Ａは、振動終了時においては、球体８が下降傾斜面２１，２２に沿って自動的に球体静止部２３に移動して係止部材３１に対する押圧を解除するので、係止部材３１が自重により非係止位置Ｘ１に回動し、引き出し１０５のロックを解除し、解除操作を必要としない。また、振動感知ロック装置Ａは、構造が簡単で安価に製造することができ、しかもコンパクトで且つ狭いスペースに簡単に取り付けることができ、さらに、係止部材３１が上下方向ではなく左右方向に突出するので、引き出し１０５の収容室１０２の側壁１０３に取り付けることができる、従来にない新規な構造を提供することができる。
【００２４】
振動感知ロック装置Ａは、前記引き出し１０５の側面１０７ａに、被係止装置６１が取り付けられている。図７，８に示すように、被係止装置６１は、被係止片６２と固定部材７１とからなる。被係止片６２は、矩形板状の被係止本体６３と、被係止本体６３の表面６３ａの一方に設けられた係止突起６５と、被係止本体６３の裏面６３ｂの一方に設けられた係止爪６６と、被係止本体６３の他方に形成された連結孔６７で形成されている。固定部材７１は、軸部７２と、軸部７２の一端に形成された操作片７３と、軸部７２の他端に形成された係合片７５とからなる。被係止装置６１は、引き出し１０５の側面１０７ａに形成された係止孔１０８に係止爪６６を係止し、引き出し１０５の側面１０７ａに形成された挿通孔１０９に連結孔６７を重ね合わせ、連結孔６７と挿通孔１０９に固定部材７１の軸部７２を挿通後に一方に回動することにより係合片７５が引き出し１０５の側面１０７ａに係合して取り付けられるように構成されている。引き出し１０５の側面１０７ａに取り付けられた被係止装置６１の係止突起６５には、係止位置Ｘ２に移動した係止部材３１が係止する。
【００２５】
振動感知ロック装置Ａは、前記引き出し１０５の側面１０７ａに、前記係止装置１に係止される被係止装置６１を簡単に取り付けることができる。即ち、被係止装置６１は、被係止片６２と固定部材７１とからなり、被係止片６２を形成する被係止本体６３の係止爪６６を引き出し１０５の側面１０７ａに形成された係止孔１０８に係止し、被係止本体６３の連結孔６７を引き出し１０５の側面１０７ａに形成された挿通孔１０９に重ね合わせ、固定部材７１の軸部７２を前記連結孔６７及び挿通孔１０９に挿通して一方に回動することにより、軸部７２の係合片７５が引き出し１０５の側面１０７ａに係合し、取り付けることができる。振動感知ロック装置Ａは、収納装置１００の側壁１０３に設けられた係止装置１が振動時に作動して係止部材３１が係止位置Ｘ２に移動し、引き出し１０５の側面１０７ａに取り付けられた被係止装置６１の係止突起６５を係止して引き出し１０５の開放を確実に阻止することができる。
【００２６】
前記ケース２は、下面１２と、上面１３と、前面１５と、後面１６と、一方の側面１７とからなり、他方の側面１８が開放されており、前記係止部材３１は、振動時に他方の側面１８から突出して係止位置Ｘ２に移動するように構成されている。また、ケース２の下面１２は、略中間部に球体静止部２３が形成され、前部と後部の両側から球体静止部２３に向かって下降傾斜する下降傾斜面２１，２２が形成されている。ケース２の上面１３には、下面１２と対向する位置関係において、略中間部に球体静止部２３が形成され、前部と後部の両側から球体静止部２３に向かって下降傾斜する下降傾斜面２１，２２が形成され、ケース２の上下の位置関係が変更可能である。
【００２７】
振動感知ロック装置Ａの係止部材３１は、球体８と当接する当接部４０を有する。当接部４０は、球体静止部２３に位置する球体８と当接する中間部４３から前方及び後方に向かって球体８側に傾斜する前方及び後方傾斜面４１，４２を有しており、非振動時には、球体８が当接部４０の中間部４３に位置している。振動時に球体８が他方の側面１８側に移動すると当接部４０を他方の側面１８側に押し出して係止部材３１を係止位置Ｘ２に移動させる。球体８が前方又は後方に移動すると前方傾斜面４１又は後方傾斜面４２に接触して当接部４０を他方の側面１８側に押し出して係止部材３１を係止位置Ｘ２に移動させる。
【００２８】
振動感知ロック装置Ａは、係止部材３１の当接部４０に、下面１２上を転動する球体８の上部と接触するガイド板４５が設けられている。前記ガイド板４５は、当接部４０の上下を仕切り、下側の前方傾斜面４１又は後方傾斜面４２に接触する球体８が上側の前方傾斜面４１又は後方傾斜面４２に接触しないように構成されている。
【００２９】
さらに振動感知ロック装置Ａについて詳細に説明する。振動感知ロック装置Ａは、係止装置１を有する。図１に示すように、係止装置１は、ケース２と、球体８と、係止部材３１とからなる。ケース２は、楕円状のフランジ３と、二つの円を重ねた略８の字状の突出部５とからなり、フランジ３の裏面３ｂに突出部５が形成されている。ケース２には、略直方体状の収納室１１が形成されている。収納室１１は、下面１２と、上面１３と、前面１５と、後面１６と、一方の側面１７とで構成され、他方の側面が開放されて開口１８を形成している。即ち、フランジ３の表面３ａに開口１８が形成され、この開口１８は収納室１１と連通している。
【００３０】
下面１２は、略中心に向かって下降傾斜する前傾斜面２１と後傾斜面２２によって形成されている。さらに前傾斜面２１と後傾斜面２２は、一方の側面１７側に向かって下降傾斜している。前傾斜面２１と後傾斜面２２は、略中心で接続され、この接続部に接続線（底線）２３が形成される。なお、この接続線（底線）２３も、一方の側面１７側に向かって下降傾斜している。
【００３１】
上面１３は、この面を下側に位置させると下面１２と略同じ形状となるように、下面１２と対称に形成されている。前面１５と後面１６には、収納室１１内と突出部５外側を連通する軸受け孔２６，２７が形成されている。軸受け孔２６には、支軸６が挿入して取り付けられ、軸受け孔２７には、支軸７が挿入して取り付けられる。フランジ３の上部と下部には、ネジ７８，７８を挿通する挿通孔２８，２９が穿設されている。
【００３２】
球体８は、係止部材３１を回動させることができる程度の重さを有し、下面１２に載置される。下面１２に載置された球体８は、自重により一番低い位置の接続線（底線）２３上に位置し、傾斜する接続線（底線）２３に沿って一方の側面１７に当接して静止する。この球体８の静止する位置が初期位置となる。ケース２をひっくり返して上面１３を下側に位置させると上面１３が下面１２となるので、球体８を逆さまにひっくり返した上面１３に載せた場合でも前述したように静止する。
【００３３】
図２、３に示すように、係止部材３１は、前記収納室１１内に収納可能な大きさに形成され、表側面板３２と、表側面板３２と略平行に設けられた裏側面板３３と、表側面板３２と裏側面板３３の前端に設けられた前面板３５と、表側面板３２と裏側面板３３の後端に設けられた後面板３６とからなる。裏側面板３３には、表側面板３２側に向かって凹むように湾曲する湾曲凹部４０が形成されている。
【００３４】
湾曲凹部４０は、前部湾曲面４１と後部湾曲面４２とからなり、前部湾曲面４１と後部湾曲面４２が連接される中心部４３が一番深くなっている。前部湾曲面４１及び後部湾曲面４２は、内側から外側に向かって緩やかに浅くなるように形成されている。前部湾曲面４１は、前記前傾斜面２１と対応しており、後部湾曲面４２は、前記後傾斜面２２と対応している。なお、前部湾曲面４１及び後部湾曲面４２は、緩やかな曲線を描くように湾曲して形成されているが、直線的な傾斜面で形成しても構わない。
【００３５】
前面板３５及び後面板３６の略中心には、前記支軸６，７が挿通して取り付けられる取付孔４８，４９が形成されている。また、前部湾曲面４１及び後部湾曲面４２には、湾曲凹部４０の上下方向の略中心線上、即ち、湾曲凹部４０の取付穴４８の軸心と取付穴４９の軸心を結ぶ連結線上にガイド板４５が設けられている。このガイド板４５は、湾曲凹部４０の上下を仕切るように構成され、下面１２上を転動する球体８の上部が当接する程度に突出して形成されている。ガイド板４５には、略中央に位置する球体８を挿通可能とする半円状の切り欠き４６が設けられている。
【００３６】
振動感知ロック装置Ａは、球体８をケース２の収納室１１の下面１２に載置し、係止部材３１を裏側面板３３側から収納室１１内に装設し、支軸６を軸受け孔２６及び係止部材３１の取付孔４８に挿着すると共に、支軸７を軸受け孔２７及び係止部材３１の取付孔４９に挿着することによって組み立てられる。係止部材３１は、支軸６，７により収納室１１内に回動可能に取り付けられる。
【００３７】
係止部材３１は、収納室１１内で不用意に回転しないように構成されている。例えば、一つの形態として、図４に示すように、取付孔４８，４９の位置は、重心Ｇの位置より内側に設定されており、係止部材３１の下部３１ａが僅かながら内側Ｙ方向に移動する。内側には、球体８が存在しているので、湾曲凹部４０の下部が球体８に当接する。
【００３８】
また他の形態として、図５に示すように、取付孔４８，４９を重心位置を中心として上下方向に縦長に形成すると、下方に重力が働くので、係止部材３１は安定して静止する。さらに他の形態として、図６に示すように、取付孔４８，４９を重心位置に形成し、係止部材３１の略中心に上下方向に縦長となる凹部５０を形成し、当該凹部５０内に錘５１を移動可能に設けても、錘５１によって下方に重力が働くので、係止部材３１は安定して静止する。上記全ての実施の形態は、上下の向きを変えても同様の働きをすることは勿論である。
【００３９】
次に前記係止装置１に係止される被係止装置６１について説明する。図７，８に示すように、被係止装置６１は、被係止片６２と固定部材７１とからなる。固定部材７１は、軸部７２と、軸部７２の一端に形成された操作片７３と、軸部７２の他端に形成された係合片７５とからなる。操作片７３の内面には、係合凸部７６が形成されている。
【００４０】
被係止片６２は、矩形板状の被係止本体６３と、被係止本体６３の表面６３ａの一方に設けられた係止突起６５と、被係止本体６３の裏面６３ｂの一方に設けられた係止爪６６と、被係止本体６３の他方に形成された連結孔６７で形成されている。連結孔６７は、前記固定部材７１の軸部７２を挿通する軸孔６８と、前記固定部材７１の係合片７５を挿通する挿通孔６９とからなる。被係止本体６３の表面６３ａ側であって、軸孔６８を中心とする所定箇所には、固定部材７１の係合凸部７６を係脱する係合凹部７７・・が形成されている。
【００４１】
図９に示すように、被係止装置６１は、引き出し１０５の右（又は左）の側壁１０７の外側面１０７ａに取り付けられる。図９（ａ）に示すように、被係止装置６１は、引き出し１０５の側壁１０７に形成された係止孔１０８に係止爪６６を係止し、さらに引き出し１０５の側壁１０７に形成された挿通孔１０９に連結孔６７を重ね合わせ、連結孔６７の挿通孔６９に固定部材７１の係合片７５を合わせ、連結孔６７の軸孔６８に固定部材７１の軸部７２を挿通し、操作片７３を介して軸部７２を一方に回動することにより係合片７５が引き出し１０５の側壁１０７に係合して固定して取り付けられる。操作片７３の係合凸部７６が係合凹部７７に係合し、操作片７３が位置決めされる。図９（ｄ）に示すように、被係止装置６１は、操作片７３を介して軸部７２を他方に回動することにより、係合片７５が引き出し１０５の側壁１０７から外れ、軸部７２を連結孔６７の軸孔６８から引き抜き、引き出し１０５の側壁１０７に形成された係止孔１０８から係止爪６６を離脱することによって、引き出し１０５の側壁１０７の外側面１０７ａから取り外すことができる。
【００４２】
振動感知ロック装置Ａは、上記構成を有し、以下のように使用することができる。係止装置１は、家具、吊り戸棚等の開き戸付き収納装置の収納装置本体に取り付けることが出来るが、箪笥、机、食器棚等の引き出し付き収納装置１００の収納装置本体１０１に取り付けた状態で説明する。図１０に示すように、係止装置１は、引き出し１０５を引き出し可能に収容する収容室１０２の右（又は左）の側壁１０３に取り付けられている。側壁１０３には、嵌合穴１０４が形成され、係止装置１の突出部５が嵌合穴１０４に嵌合している。係止装置１のフランジ３は、嵌合穴１０４の周縁に係合されている。フランジ３の挿通孔２８，２９には、ネジ７８，７８が挿通され、ネジ７８，７８が側壁１０３にねじ込まれて、係止装置１が側壁１０３に固定されている。なお、下面１２及び上面１３は、対称に形成され、球体８がガイド板４５の切り欠き４６を通過して下側の面に落下するので、どちらの面を下側にしても構わない。
【００４３】
図１０に示すように、係止装置１は、非振動時においては、球体８が一番低い位置である接続線（球体静止部）２３上であって、一方の側面１７に当接している（初期位置）。係止部材３１は、自重により下部３１ａが下方に付勢されて非係止位置Ｘ１にあり、ケース２の収納室１１内に収まっている。従って、引き出し１０５の開閉は、何等阻止されずにスムーズに行うことが出来る。
【００４４】
図１１に示すように、係止装置１は、振動時においては、球体８が一番低い位置である接続線（球体静止部）２３から移動する。例えば、球体８が開口１８側（Ｘ方向）に移動すると、係止部材３１の湾曲凹部４０の中心部４３が外側に押圧され、係止部材３１が支軸６，７を中心として回動し、下部３１ａが係止位置Ｘ２まで突出する。球体８が引き出し１０５の開く方向（Ｆ方向）に移動すると、球体８が前部湾曲面４１に摺接しながら移動するので、係止部材３１が外側に押圧され、係止部材３１が支軸６，７を中心として回動し、下部３１ａが係止位置Ｘ２まで突出する。同様に、球体８が引き出し１０５の閉じる方向（Ｂ方向）に移動すると、球体８が後部湾曲面４２に摺接しながら移動するので、係止部材３１が外側に押圧され、係止部材３１が支軸６，７を中心として回動し、下部３１ａが係止位置Ｘ２まで突出する。また、球体８が上下方向（Ｚ方向）に移動しようとしても、球体８の上部がガイド板４５に当接することにより上下方向の移動が規制される。しかし、かなり強い上下方向の振動が発生した場合には、球体８がガイド板４５を押し上げ、係止部材３１が支軸６，７を中心として回動し、上部３１ｂが係止位置Ｘ２まで突出する。
【００４５】
このように、係止装置１は、振動時に球体８が転動して、係止部材３１が外側に押し出され、係止部材３１が係止位置Ｘ２に移動する。引き出し１０５は、振動時に係止部材３１の下部３１ａ（又は上部３１ｂ）が係止位置Ｘ２にあるので、引き出し１０５の一側が係止部材３１の下部３１ａ（又は上部３１ｂ）に係止され、開放が阻止される。係止装置１は、振動が終了すると、球体８が自重により、前傾斜面２１又は後傾斜面２２に沿って接続線（球体静止部）２３上に復帰し、さらに接続線２３の下降傾斜に沿って一方の側面１７に当接して初期位置で静止する。振動が終了して球体８が元の静止位置に復帰すると、球体８が係止部材３１を押圧しなくなるので、係止部材３１の下部３１ａ（又は上部３１ｂ）が自重により元の非係止位置Ｘ１に戻り、引き出し１０５の開閉が再び可能になる。
【００４６】
上記実施の形態では、引き出し１０５の一側が係止部材３１の下部３１ａ（又は上部３１ｂ）に係止されたが、引き出し１０５の右（又は左）の側壁１０７の外側面１０７ａに前述したように被係止装置６１を装着すると、係止突起６５が外側に突出するので、係止部材３１がより一層係止し易くなる。引き出し１０５は、前述したように、振動時に、係止装置１の係止部材３１が係止位置Ｘ２に移動するので、被係止装置６１の係止突起６５が係止部材３１に係止されてロックされ、開く方向への移動が規制される。また、引き出し１０５は、振動が終了すると球体８が所定位置に復帰するので、係止装置１の係止部材３１が自重により非係止位置Ｘ１に移動するので、被係止装置６１の係止突起６５に対する係止が解除され、開閉方向の移動が可能になる。しかし、引き出し１０５は、何らかの原因、例えば球体８が係止部材３１と噛み合って自動復帰せず、開かなくなってしまう場合がある。係る場合には、図１２に示すように、収納装置本体１０１と引き出し１０５の隙間からドライバー等の棒状部材１１０を差し込んで、操作片７３を押し込み、軸部７２を他方に回動させ、且つ、軸部７２を連結孔６７の軸孔６８から引き抜いて、引き出し１０５の側壁１０７から被係止装置６１を取り外せば、簡単に引き出し１０５を開閉させることができる。上記実施の形態では、引き出し付き収納装置１００に取り付けた状態で説明したが、開き戸付き収納装置に取り付けることも可能であることは言うまでもない。
【００４７】
上記実施の形態では、球体８は、引き出し１０５の開閉方向（Ｆ又はＢ方向）に移動すると、下面１２と一方の側面１７では点接触するが、前部湾曲面４１又は後部湾曲面４２では面接触しながら摺接して移動する。この球体８の球面と前部湾曲面４１又は後部湾曲面４２との面接触により僅かではあるが摩擦抵抗が大きくなり、球体８の移動が若干遅くなる場合もあり得る。振動時に、瞬時に発生する開き戸及び引き出しの開放を迅速に阻止するためには、すこしでも速く球体８の移動が行われることが望ましく、上記実施の形態でも十分対応が可能であるが、図１３に示すように、前部湾曲面４１及び後部湾曲面４２の球体８が接触する部分に、断面が略三角形状の突条３７を開閉方向と略平行に形成しても良い。
【００４８】
図１３（ａ）に示すように、係止装置１は、非振動時においては、球体８が一番低い位置である接続線（球体静止部）２３上であって、一方の側面１７と、下面１２に当接している（初期位置）。係止部材３１は、自重により下部３１ａが下方に付勢されて非係止位置Ｘ１にあり、係止部材３１の突条３７の頂点が球体８に当接している。図１３（ｂ）に示すように、係止装置１は、球体８が開口１８側に移動すると、係止部材３１の突条３７が外側に押圧され、係止部材３１が支軸６，７を中心として回動し、下部３１ａが係止位置Ｘ２まで突出する。図１３（ｃ）に示すように、球体８が引き出し１０５の開閉方向に移動すると、球体８が湾曲した突条３７に摺接しながら移動するので、係止部材３１が外側に押圧され、係止部材３１が支軸６，７を中心として回動し、下部３１ａが係止位置Ｘ２まで突出する。このように、球体８は、前部湾曲面４１又は後部湾曲面４２の突条３７の頂点と点接触するので、摩擦抵抗が小さくなり、移動がスムーズに行われる。なお、突条３７は、略三角形状に形成したが、半円形状に形成しても構わない。
【００４９】
また、上記実施の形態では、湾曲凹部４０に接触する球体８が１個であったが、図１４に示すように、２個にしても構わないのは勿論である。さらに、ケース２に２個の球体８ａ，８ｂを仕切る仕切壁４を形成しても良い。また、図１５に示すように、係止部材３１に複数の湾曲凹部４０ａ，４０ｂを形成し、各湾曲凹部４０ａ，４０ｂにそれぞれ球体８ａ，８ｂを配置するようにしても良い。下面１２は、各湾曲凹部４０ａ，４０ｂの最も深い位置に対応する２箇所に球体８ａ，８ｂが静止する球体静止部が形成されている。さらにまた、湾曲凹部４０ａと湾曲凹部４０ｂの大きさを変えても構わないのは勿論である。２個の球体８ａ，８ｂの大きさ及び重さは、同じでも異なっても構わない。このように、振動を感知する球体を複数にすることにより、振動に対する感度及び反応を良くすることができる。
【産業上の利用可能性】
【００５０】
本願発明は、家具、吊り戸棚等の開き戸付き収納装置、並びに箪笥、机、食器棚等の引き出し付き収納装置に設けられ、地震等の振動時に開き戸、引き出しの開放を規制する振動感知ロック装置として利用可能である。
【符号の説明】
【００５１】
Ｘ１  非係止位置
Ｘ２  係止位置
Ａ  振動感知ロック装置
Ｇ  重心
１  係止装置
２  ケース
３  フランジ
３ａ  表面
３ｂ  裏面
４  仕切壁
５  突出部
６  支軸
７  支軸
８  球体
８ａ  球体
８ｂ  球体
１１  収納室
１２  下面
１３  上面
１５  前面
１６  後面
１７  一方の側面
１８  開口（他方の側面）
２１  前傾斜面（下降傾斜面）
２２  後傾斜面（下降傾斜面）
２３  接続線（底線  球体静止部）
２６  軸受け孔
２７  軸受け孔
２８  挿通孔
２９  挿通孔
３１  係止部材
３１ａ  下部
３１ｂ  上部
３２  表側面板
３３  裏側面板
３５  前面板
３６  後面板
３７  突条
４０  湾曲凹部（当接部）
４０ａ  湾曲凹部（当接部）
４０ｂ  湾曲凹部（当接部）
４１  前部湾曲面（前方傾斜面）
４２  後部湾曲面（後方傾斜面）
４３  中心部（中間部）
４５  ガイド板
４６  切り欠き
４８  取付孔
４９  取付孔
５０  凹部
５１  錘
６１  被係止装置
６２  被係止片
６３  被係止本体
６３ａ  表面
６３ｂ  裏面
６５  係止突起
６６  係止爪
６７  連結孔
６８  軸孔
６９  挿通孔
７１  固定部材
７２  軸部
７３  操作片
７５  係合片
７６  係合凸部
７７  係合凹部
７８  ネジ
１００  引き出し付き収納装置（開き戸付き収納装置）
１０１  収納装置本体
１０２  収容室
１０３  側壁（側面）
１０４  嵌合穴
１０５  引き出し（開き戸）
１０７  側壁
１０７ａ  側面
１０８  係止孔
１０９  挿通孔
１１０  棒状部材
【図１】
2010270517.tif 000003
【図２】
2010270517.tif 000004
【図３】
2010270517.tif 000005
【図４】
2010270517.tif 000006
【図５】
2010270517.tif 000007
【図６】
2010270517.tif 000008
【図７】
2010270517.tif 000009
【図８】
2010270517.tif 000010
【図９】
2010270517.tif 000011
【図１０】
2010270517.tif 000012
【図１１】
2010270517.tif 000013
【図１２】
2010270517.tif 000014
【図１３】
2010270517.tif 000015
【図１４】
2010270517.tif 000016
【図１５】
2010270517.tif 000017